(57)【要約】【課題】歯科治療椅子の垂直の調整能力と配置を簡単な方法で歯科医の要求に適合させる、新規で、特に、費用効果が高い方法を示すことである。【解決手段】柱状の基部と、前記基部の側に配置され、底部の位置と最も高い位置との間で、前記基部に相対的に調整可能であるシートベンチと、前記シートベンチを垂直に調整するための、前記基部に配置された駆動部と、前記シートベンチを前記駆動部と結合し、垂直に変位可能な運搬アームを有し、前記駆動部から離れて対向する当該運搬アームに対して前記シートベンチが固定されている伝達機構と、を有する歯科治療椅子において、前記運搬アームは、当該運搬アームと前記駆動部との接続点と、前記シートベンチとの接続点とが垂直方向に異なるように、傾けられて構成されている。【選択図】図１
2010508102.tif 000002
【特許請求の範囲】
【請求項１】
柱状の基部（２）と、
前記基部（２）の側に配置され、底部の位置と最も高い位置との間で、前記基部に相対的に調整可能であるシートベンチ（１１）と、
前記シートベンチ（１１）を垂直に調整するための、前記基部（２）に配置された駆動部（２０）と、
前記シートベンチ（１１）を前記駆動部（２０）と結合し、垂直に変位可能な運搬アーム（３０，４０）を有し、前記駆動部（２０）から離れて対向する当該運搬アームに対して前記シートベンチ（１１）が固定されている伝達機構と、
を有する歯科治療椅子（１０）において、
前記運搬アーム（３０，４０）は、当該運搬アーム（３０，４０）と前記駆動部（２０）との接続点と、前記シートベンチとの接続点とが垂直方向に異なるように、傾けられて構成されている
ことを特徴とする歯科治療椅子。
【請求項２】
選択的に第１運搬アーム（３０）を置き換え、同様に傾けて構成される第２運搬アーム（４０）であって、
２つの前記運搬アーム（３０、４０）の内の一方の場合に、前記駆動部（２０）との接続点が前記シートベンチ（１１）との接続点の上に位置し、
他方の前記運搬アーム（３０，４０）の場合に、前記駆動部（２０）との接続点が前記シートベンチ（１１）との接続点の下に位置する
前記第２運搬アーム（４０）に特徴付けられた請求項１に基づく歯科治療椅子。
【請求項３】
２つの前記運搬アーム（３０，４０）は異なる水平の長さを有する
ことを特徴とする請求項２に基づく歯科治療椅子。
【請求項４】
単一または複数の前記運搬アーム（３０，４０）はチューブ状の構造である
ことを特徴とする先行する請求項の１つに基づく歯科治療椅子。
【請求項５】
単一または複数の前記運搬アーム（３０，４０）はＺ字形状の構造である
ことを特徴とする先行する請求項の１つに基づく歯科治療椅子。
【請求項６】
単一または複数の前記運搬アーム（３０，４０）、を前記基部（２）の両側に配置することが可能であり、そしてそれによって前記シートベンチ（１１）も前記基部（２）の両側に配置することが可能である
ことを特徴とする先行する請求項の１つに基づく歯科治療椅子。
【請求項７】
前記駆動部（２０）は、前記基部（２）内に垂直に配置される駆動スピンドル（２２）を有するスピンドル駆動部により構成される
ことを特徴とする先行する請求項の１つに基づく歯科治療椅子。
【請求項８】
前記駆動部は空圧式或いは水圧式の駆動部により構成される
ことを特徴とする請求項１から６のいずれか１つに基づく歯科治療椅子。
【請求項９】
前記運搬アーム（３０，４０）が、ボール循環式誘導で、基部に位置づけられた垂直ガイド要素（２３）に取り付けられる
ことを特徴とする先行する請求項の１つに基づく歯科治療椅子。
【請求項１０】
歯科の治療及び／または検査器具を取り付け、供給、及び／または駆動するための中央コンソールを有し、また、前記治療椅子（１０）を有する治療椅子ステーションにおいて、
前記治療椅子（１０）は先行する請求項の１つに従って設計されており、同時に、治療ステーション（１）のコンソールは前記治療椅子（１０）の前記基部を構成する
ことを特徴とする治療椅子ステーション。
【発明の詳細な説明】
【技術分野】
【０００１】
本発明は請求項１の事前特徴文節に基づく歯科治療椅子に関するものであり、シートベンチは当該歯科治療椅子において、治療椅子の基部に関連して、底部の位置と最も高い位置との間で垂直方向に調節できる。
【背景技術】
【０００２】
一般に、歯科治療椅子は、患者を人間工学的に適切な位置に位置させるために、そして、遂行されるべき治療に適している方法で、多くの自由度内で調整可能である。そのような事情で、従来の治療椅子は垂直方向に調整可能なシートベンチからなり、その終端にはベンチに関連して傾けることができるバックレストが配置されている。ここで、バックレストは、通常、患者の頭を支えるためのヘッドクッションに隣接する。このような事情のもとで、シートベンチの垂直方向の設定とは独立して、バックレストとヘッドクッションの位置を設定することが一般に可能である。さらに、シートベンチが垂直方向に調整可能であるだけでなく、加えて、いわゆる「トレンデレンブルグ（Trendelenburg；ぐずぐずする）運動」を可能にするためにさらにわずかに回転されることも可能である治療椅子が知られている。
【０００３】
本発明は、特に、治療椅子のシートベンチの垂直の調整能力に関係している。底部の位置と最も高い位置との間での調整を可能にするという目的のために、様々な駆動及び伝達機構が知られている。これらの場合には、駆動及び持ち上げ装置が、例えばシートベンチの下に配置され得る。しかし、中央の供給装置が平行六面体柱によって構成される歯科治療ステーションも知られており、そのステーションにおいて、患者の椅子は、柱の横に配置され、柱内に位置している駆動部と結合される。
【０００４】
このような事情のもとで、治療椅子の垂直の調整能力は、治療を遂行する歯科医にとって最適かつ快適な労働状況を可能にする範囲にわたる必要がある。歯科医が高さを変化させるので、このことは、垂直の調整能力は彼または彼女の高さに依存するある限界内に無ければならないことを意味する。さらに、運動の余裕は歯科医が治療を立って遂行することを好むか、または座って遂行することを好むかに依存させなければならない。最後に、柱状の基部に関連する治療椅子の配置も、またその歯科医が左利きであるか右利きであるかに依存する。
【発明の概要】
【発明が解決しようとする課題】
【０００５】
この種類の治療椅子の設計を歯科医の要望にその時々で適応させることを可能にするために、これまで、入念な測定が必要であった。費用に関して、最終的な設置のあとに、歯科医に合致するある範囲内に垂直に調整可能であることが患者の椅子には依然必要である、という事実の観点において理にかなっていないという相当高い支出がかかる。
【０００６】
従って、本発明の基本的な目的は、歯科治療椅子の垂直の調整能力と配置を簡単な方法で歯科医の要求に適合させる、新規で、特に、費用効果が高い方法を示すことである。
【０００７】
この目的は、請求項１に特徴を有する歯科治療椅子により達成される。本発明の有利なさらなる発展は従属項の主題を形成する。
【課題を解決するための手段】
【０００８】
本発明による解決は、治療椅子のシートベンチと垂直に配置可能な運搬アームを有する駆動部との結合を設計する着想に基づく。駆動部とは異なる方向を向いた運搬アームの終端に向けて、シートベンチが固定される。運搬アームは、駆動部と、シートベンチとの接続点が垂直方向に異なっているという方法で傾けられるように構成される。この解決は、垂直の調整能力とシートベンチの配置を歯科医の要求に単純な方法で適応させるために、異なる形の、望ましくはＺ字形状の運搬アームの使用を通じて可能となる。特に、選択的に使用できる２つの異なる運搬アームを採用することが本質的に十分である。２つの運搬アームのうちの１つの場合には、シートベンチへの接続点の上に駆動部への接続点が、そしてもう一方の運搬アームの場合には、シートベンチへの接続点の下に駆動部への接続点が横たわる。歯科医が立った位置で治療を遂行することを好むか、座った位置で治療を遂行することを好むかに応じて、患者の椅子は対応する運搬アームを用いて駆動部に結合されることができる。運搬アームがそれぞれ異なる方向に連結されている場合、他方では、シートベンチは単純な方法で従来の右手の作業から左手の作業へと変化されることができる。この場合には、また、歯科医の仕事の望ましい方法に垂直方向の調節機能の余裕を適応させるために、２つの運搬アームが選択的に採用されることができる。
【発明の効果】
【０００９】
従って本発明によって利用可能となるものは、柱状の基部、基部の横に配置され、底部の位置と最も高い位置との間で垂直方向に調整可能なシートベンチ、シートベンチを垂直方向に調整するための、基部に配置された駆動部、シートベンチと駆動部を結合し、垂直に移動可能な運搬アームを含む伝送機構を有する歯科治療椅子である。運搬アームの駆動部とは異なる方向を向いた終端部へ向けてシートベンチは固定され、本発明によれば、運搬アームの駆動部及びシートベンチへの接続点が垂直方向に異なっているという方法で傾斜されるように運搬アームは構成される。
【００１０】
選択的に利用可能にされた２つの異なる運搬アームの場合には、可能ならば、運搬アーム或いはアームは望ましくはチューブ状の構造であり、これらのアームは異なる水平の長さを有する。この結果として、シートベンチの配置は、また、特定の点で歯科医の仕事の望ましい方法に適応されることができる。
【００１１】
駆動部としては、基部内に配置され適当な方法で支持部と結合される、垂直方向に方向付けられた駆動するスピンドルを有するスピンドル駆動部が提供されることが望ましい。空気圧式や水圧式の駆動部を採用することもまた考えられる。
【００１２】
本発明は、添付した図面を参照して、以下、今まで以上に詳しく説明される。
【図面の簡単な説明】
【００１３】
【図１】図１は本発明に従って設計された治療椅子を有した歯科治療ステーションである。
【図２】図２は駆動部と治療椅子の垂直の調整能力のための結合に関して、様々な観点を示す。
【図３】図３は駆動部と治療椅子の垂直の調整能力のための結合に関して、様々な観点を示す。
【図４】図４（ａ）及び図４（ｂ）は第１の運搬アームの様々な観点を示す。
【図５】図５（ａ）及び図５（ｂ）は第２の運搬アームの様々な観点を示す。
【図６】図６は垂直の調整能力のための駆動部上の第１の運搬アームの配置を示す。
【図７】図７は駆動部上の第２の運搬アームの配置を示す。
【図８】図８は運搬アームの取り付け及び誘導の実施形態の別の形を示す。
【図９】図９は運搬アームの取り付け及び誘導の実施形態の別の形を示す。
【図１０】図１０は運搬アームの取り付け及び誘導の実施形態の別の形を示す。
【発明を実施するための形態】
【００１４】
図１内に参照番号１０を用いて一般的に提供される本発明の治療椅子は、歯科ワークステーション１の構成要素の一部である。その中心要素２として、このワークステーション１は、治療ステーション１の対応する構成要素に、取り付け、駆動、そして、供給のために提供されている柱状の供給装置を有する。これらは、例えば、スイベル（swivel）アーム３を経由して柱状基部２に接続されている第１のサービステーブル４を含む。このサービステーブル４は、主として、治療を行う歯科医によって使用され、例えば、ドリル、歯石取り器などの歯科治療の器具を支え、駆動する働きをする。サービステーブル４に構築された多くの制御要素を経由して、治療ステーション１の対応する構成要素を制御することが可能である。例えば、これらの入力要素は、治療椅子１０を調整するために使用されることができる。
【００１５】
また、第２のスイベルアーム５を経由して基部２に固定されているのが補助要素６である。好ましくは、補助者によって使用されるこの要素６は、吸引装置、または、いわゆる「散布ハンドピース」等の個々の機器を支え、そして駆動する働きをする。さらに、痰壺と水供給器を含む患者の部品７も、また補助要素６を経由して制御されることもできる。これに関して、図１に表される歯科治療ステーション１は、歯科医学の従来の治療ステーションに対応している。
【００１６】
加えて、中央柱２も、まず、第１にシートベンチ１１を有する治療椅子１０を取り付けるために働く。シートベンチ１１の後端部には、ベンチに関連して傾けることが可能なバックレスト１２が配置され、また、バックレストに隣接して、ヘッドサポート１３が配置されている。バックレスト１２とヘッドサポート１３の両構成要素は、それらを、患者、特に患者の高さと、そして、歯科医の作業の方法とに適応させるために、所望の方法で、お互い独立に調整されることができる。しかし、バックレスト１２とヘッドサポート１３のための調整の可能性は、本発明の主題ではなく、それ故に、以下では特に詳細には説明しない。
【００１７】
その代わりに、既に述べたように、本発明は治療椅子１０の垂直の調整能力に関する。これに関連して、第１の特別な特徴は、その目的のための駆動部が、今までは主にこうであったように、シートベンチ１１の下に配置されずに、基部として働く供給ユニット２内に配置されているという事実にある。フットプレート１４を設置するために使用される、空いているスペースは、このようにシートベンチ１１の下に残される。
【００１８】
基部２内に配置され、図１にさらなる詳細が表現されていない駆動部は、結果的に、シートベンチ１１の垂直な配置を可能にする働きをする。このような事情のもとで、シートベンチ１１と、ひいては患者椅子１０は、歯科医の作業に最適な方法を可能にするような範囲内に調整されることが可能である。同時に、歯科医の一部の異なる好みがあることと関連して、立った位置及び座った位置の両方での治療がもしかしたら可能であることを覚えておくべきである。それ故、垂直に調整されることが可能な患者椅子１０は、歯科医の要求や望みに適応されるべきである。同様に、左利きの人による使用もまた可能にするために、基部２の反対側に治療椅子１０を配置することも可能となるべきである。歯科医の要求への適応を簡単な方法で可能とし、費用効果が高く実用化可能である解決が、続く図面を用いて説明される。
【００１９】
本発明に基づく解決は、治療椅子の垂直の調整能力のための動力を伝達するための特別な伝達機構を採用することに基づいている。治療椅子の機構は、その設計の故に歯科医の個々の望みに調整の範囲の簡単な適応を可能とする。これに関連して、図２と３は、本発明に従って、柱状の基部内に位置する駆動部に対する治療椅子の結合の詳細を示す。
【００２０】
表された実施の形態において、駆動部２０は、スピンドル駆動部２０として設計されており、そしてこれを受けて、垂直に方向付けられた駆動スピンドル２２に結合されたモータ２１を有する。また、駆動スピンドル２２に結合されるのは、基部内に配置されたガイドピラー２３上に垂直に変位可能（displaceable）であるように取り付けられたガイドパート２４である。これを受けて、ガイドパート２４はガイドピラー２３の側壁上に構成されたガイドレール２５と接触している。この場合、滑走面はスチールの条帯により構成される。ガイドパート２４は、モータ２１の適当な操作により望ましい方法でピラー２３に沿って垂直に配置される。
【００２１】
表されたスピンドル駆動部の代わりとして、例えば、空圧式或いは水圧式の駆動部が採用されることも可能である。
【００２２】
治療椅子１０は、運搬アーム３０を経由して駆動部と結合される。運搬アーム３０は、一方の端部においてガイドパート２４と結合され、他方では患者椅子１０かシートベンチ１１に結合される。この運搬アームの設計は、図４（ａ）と４（ｂ）からより詳細に推測されることができる。
【００２３】
これらの２つの図面に示されるように、運搬アーム３０は、Ｚ字形状の或いは傾いた方法で曲げられるように構成されている。これを受けて、まず第１に、運搬アーム３０は、ガイドパート２４に固定されるように意図された固定フランジの形の第１端部３１を有する。第２端部３２は、シートベンチ或いは後者の下に設置された運搬部に固定するように働く。この場合は、２つの端部３１、３２は、特に、運搬アーム３０が全体として水平に配置される時、患者椅子１０に固定されることを目的とする第２端部３２が第１端部３１の下方に位置するようになるように設計された接続部３３を経由して接続される。言い換えれば、図２及び図３の表現から推測できるように、運搬アーム３０の駆動部に対する接続点は治療椅子のシートベンチ１１に対する接続点の上方に位置する。
【００２４】
しかしながら、現在、図４（ａ）及び図４（ｂ）に表された運搬アーム３０に代わる手段として、治療椅子１０を駆動部２０に固定するのに第２運搬アームを使用するのもまた可能であり得る。第２運搬アームは、図５（ａ）及び図５（ｂ）に表され、参照番号４０が与えられている。この代わりの運搬アーム４０は、同様に、ガイドパート２４に固定するための第１端部４１と治療椅子１０に固定するための第２端部４２を有し、２つの端部４１、４２もまた、接続部４３を経由して角度を付けた方法でお互いに接続される。第１運搬アーム３０と同様に、第２運搬アーム４０は柱状の構造であり、例えば鋳造された部分で構成される。
【００２５】
ここで、２つの運搬アーム３０と４０の違いは、第２運搬アーム４０の第１及び第２端部４１、４２の間の接続部４３が第１運搬アーム３０の接続部３３と反対の傾斜を有する、という事実にある。図５（ｂ）の表現から特に推測できるように、このことは患者椅子１０への接続点が駆動部への接続点の上方に位置するということを示す。このことからの結果は、駆動部２０、それぞれの場合で最も低い可能な位置にあるガイドピラー２３に位置するガイドパート２４上の２つの運搬アーム３０、４０それぞれの配置を示す図６及び図７から推測することが可能である。
【００２６】
治療椅子１０を取り付けるための働きを行う運搬アーム３０、４０の第２端部３２、４２はそれぞれ、第２運搬アーム４０の場合よりも第１運搬アーム３０の場合にはより下に配置させることが明確に理解されることが可能である。このことは、持ち上げ運動の限界以内の治療椅子１０の調整のための余裕が異なっていることを意味する。患者椅子１０は第１運搬アーム３０を用いて特に低い位置と所定の最高限度の位置との間で調整されることができる一方、患者椅子は、第２運搬アーム４０を用いて、図７に表されたいくらか高い初期位置から最も高い高さまで調節されることができる。それ故に、第１運搬アーム３０は歯科医が座った位置で治療を遂行することを好む場合に採用されることが好ましい。同様に、運搬アーム４０は、立つことを好む歯科医に役立つような調整の可能性をもたらすように働く。
【００２７】
本発明によれば、治療椅子の垂直の調整能力のための駆動部或いは伝達機構の設計を通じて、適した運搬アームを選択することにより歯科医の要求に調整の範囲を簡単な方法で適応させることが可能である。このような事情に基づき、さらに、治療椅子１０の水平の配置を設定するという目的のために、適した方法で、接続部３３、３４のそれぞれの水平方向の長さを選択する可能性がある。
【００２８】
本発明に基づくこの解決の他の利点は、左利きの人物によって操作されるときの使用にも適しているように、患者椅子は簡単な方法で構成されることが可能である、という事実にある。本質的には、この目的のために必要な全ては、運搬アーム或いはガイドピラー２３上のガイドパート２４の反対にされた配置である。この場合、図４（ａ）から図５（ｂ）に表された２つの運搬アームを用いて、患者椅子１０の異なる調整の高さ或いは調整の幅をもたらすことが可能である。この場合には運搬アームの回転する締め具が必要であるため、このことは、第１運搬アーム３０の使用は、より高い位置への調整の範囲をもたらすために必要であることを意味する。他方では、第２運搬アーム４０はより低い高さの調整を可能にし、従って特に座った位置での使用に適している。
【００２９】
従って、全体としてみると、治療椅子のための調整の異なる可能性及び供給ステーションの中央供給装置の望まれる側への配置は、２つの異なる運搬アームを使用可能とすることによってもたらされる。本発明に基づく解決は、その単純さと、特に費用効果が高い方法で実現されることができるという事実によって区別される。
【００３０】
結論として、図８から図１０は運搬アームを支え導くための実施の形態の代わりの形態を示す。この実施の形態では、先行する図面内の第１形態の実施の形態と同一の要素が同じ参照番号を備えており、モータ２１に付属するスピンドル駆動部と駆動スピンドル２２が再度採用される。しかしながら、今、ピラー２３に沿った運搬アーム３０の誘導は、いわゆる「ボール循環式誘導（recirculating ball guide）」を経由して行われる。これを受けて、運搬アーム３０の方を向いたピラー２３の側に、駆動スピンドル２２と、そして、運搬アーム３０と結合された状態のキャリッジ５１があって、キャリッジ５１が可動で取り付けられるガイドレール５０が提供される。垂直方向において、摩擦がないキャリッジ５１の誘導は、ガイドレール５０の側面に構成された滑走面に沿って転がることができるボールがキャリッジ５１の内部に取り付けられているという事実を通して達成される。この第２の実施の形態の他の特性に関しては、第１の実施の形態に関する見解を参照され得る。この変形態様の場合もまた、治療椅子の調整の可能性は、ユーザの対応する望みにそれぞれ単純な方法で適応されることが可能である。
【符号の説明】
【００３１】
１…歯科治療ステーション、２…基部、３…スイベルアーム、４…サービステーブル、５…第２のスイベルアーム、６…補助要素、７…患者の部品、１０…治療椅子、１１…シートベンチ、１２…バックレスト、１３…ヘッドサポート、１４…フットプレート、２０…駆動部、２１…モータ、２２…駆動スピンドル、２３…ガイドピラー、２４…ガイドパート、２５…ガイドレール、３０…第１運搬アーム、３１…第１端部、３２…第２端部、３３…接続部、４０…第２運搬アーム、４１…第１端部、４２…第２端部、４３…接続部、５０…ガイドレール、５１…キャリッジ
【図１】
2010508102.tif 000003
【図２】
2010508102.tif 000004
【図３】
2010508102.tif 000005
【図４】
2010508102.tif 000006
【図５】
2010508102.tif 000007
【図６】
2010508102.tif 000008
【図７】
2010508102.tif 000009
【図８】
2010508102.tif 000010
【図９】
2010508102.tif 000011
【図１０】
2010508102.tif 000012
【国際調査報告】
2010508102.tif 000013
2010508102.tif 000014
2010508102.tif 000015
2010508102.tif 000016